(57)【要約】【課題】従業員の作業負荷を抑制しつつ、稼働率及び売上高の向上に効果のある対策を実施することを課題とする。【解決手段】メダル貸出操作による売上の履歴を記録し、蓄積された売上履歴の情報から曜日別及び時間帯別の過去の実績の集計を行い、この集計結果に基づいて曜日ごと及び時間帯ごとの遊技媒体の貸出金額と貸出金額に対する遊技媒体の貸出数を規定する貸出パラメータ２５ｃの推奨値を生成する。また、この貸出パラメータ２５ｃの推奨値を活用することによって効率的に貸出メダル数テーブル２５ｇを設定する手段を提供し、設定した貸出メダル数テーブル２５ｇをメダル貸出機１０に配信する。メダル貸出機１０は、配信された貸出メダル数テーブル１７ｂに従って、曜日ごと及び時間帯ごとに設定された条件で貸出処理を行う。【選択図】図１
2015029797.tif 000002
【特許請求の範囲】
【請求項１】
貨幣と引き換えに貨幣価値に応じた数の遊技媒体の貸出を行う遊技媒体貸出システムであって、
受け付けた貨幣の貨幣価値の一部または全部に相当する価値であって、前記遊技媒体の貸出に用いる使用価値を指定する使用価値指定手段と、
前記貸出を行う遊技媒体の数と複数の前記使用価値との対応関係を特定する対応情報を記憶する対応情報記憶手段と、
前記対応情報記憶手段で記憶した対応情報に従って前記遊技媒体の貸出処理を行う遊技媒体貸出処理手段と、
所定の指示に基づいて複数の前記使用価値に関する対応情報を更新する対応情報更新手段と
を備えたことを特徴とする遊技媒体貸出システム。
【請求項２】
前記対応情報記憶手段は、貸出操作時に指定される使用価値に応じて前記遊技媒体の１枚当たりの貸出単価の異なる前記対応情報を記憶することを特徴とする請求項１に記載の遊技媒体貸出システム。
【請求項３】
前記対応情報記憶手段は、消費税の徴収の有無によって異なる対応関係候補を生成し、前記対応関係候補から前記対応関係を選択し、選択した対応関係に応じた前記対応情報を記憶することを特徴とする請求項１又は２に記載の遊技媒体貸出システム。
【請求項４】
前記対応情報記憶手段は、曜日及び／又は時間帯に応じて異なる対応関係候補を生成し、前記対応関係候補から前記対応関係を選択し、選択した対応関係に応じた前記対応情報を記憶することを特徴とする請求項１、２又は３に記載の遊技媒体貸出システム。
【請求項５】
遊技客が事前に登録された会員であるか否かを識別する識別手段をさらに備え、
前記対応情報記憶手段は、会員用の対応関係を特定する対応情報と非会員用の対応関係を特定する対応情報とをそれぞれ記憶し、
前記遊技媒体貸出処理手段は、前記識別手段による識別結果に応じた対応情報を使用する
ことを特徴とする請求項１〜４のいずれか１つに記載の遊技媒体貸出システム。
【請求項６】
前記遊技媒体の貸出履歴を管理する履歴管理手段と、
前記履歴管理手段の管理する前記貸出履歴から、売上向上に効果の想定される曜日別及び／又は時間帯別の推奨対応関係候補を生成する推奨対応関係候補生成手段と、
前記推奨対応関係候補を出力する推奨対応関係候補出力手段と
をさらに備えたことを特徴とする請求項４又は５に記載の遊技媒体貸出システム。
【請求項７】
貨幣と引き換えに貨幣価値に応じた数の遊技媒体の貸出を行う遊技媒体貸出方法であって、
受け付けた貨幣の貨幣価値の一部または全部に相当する価値であって、前記遊技媒体の貸出に用いる使用価値を指定する使用価値指定ステップと、
前記貸出を行う遊技媒体の数と複数の前記使用価値との対応関係を特定する対応情報を記憶する対応情報記憶ステップと、
前記対応情報記憶ステップで記憶した対応情報に従って前記遊技媒体の貸出処理を行う遊技媒体貸出処理ステップと、
所定の指示に基づいて複数の前記使用価値に関する対応情報を更新する対応情報更新ステップと
を含んだことを特徴とする遊技媒体貸出方法。
【発明の詳細な説明】
【技術分野】
【０００１】
この発明は、受け入れた貨幣の価値に基づいて、所定数の遊技媒体の貸出処理を行う遊技媒体貸出システム及び遊技媒体貸出方法に関する。
【背景技術】
【０００２】
従来、アミューズメント施設のゲームコーナーやゲームセンター等には、遊技機で使用する遊技媒体（例えば、メダル）を貸し出す遊技媒体貸出機が設置されている。該遊技媒体貸出機は、遊技客によって貨幣が投入された後、遊技客の操作に応じた数の遊技媒体の投出処理を実行し、投入された貨幣の価値と貸し出した遊技媒体の貸出価格との差額を釣銭として投出する（例えば特許文献１参照。）。また、アミューズメント施設のゲームコーナーやゲームセンター等は、曜日や時間帯によって遊技機の稼働率や売上高が異なり、平日よりも週末の方が稼働率も時間当たりの売上も大きい傾向がある。また、同じ日であっても午前中、午後、夜によって、稼働率及び単位時間当たりの売上に差異がある。
【０００３】
そこで、稼働率の低い日及び稼働率の低い時間帯の稼働率及び売上の向上のために、稼働率の低い日及び稼働率の低い時間帯について、同じ貸出金額で通常よりも多くの遊技媒体を貸し出す等の対策を実施しているケースがある。
【先行技術文献】
【特許文献】
【０００４】
【特許文献１】特開２０１０−０７５７２９号公報
【発明の概要】
【発明が解決しようとする課題】
【０００５】
しかしながら、稼働率及び時間当たりの売上高の傾向は、曜日や時間帯によって多様であるため、遊技媒体数と貸出金額との対応関係を適切に設定することは困難であり、従業員が経験によって感覚的に設定せざるを得ないのが実情であった。
【０００６】
このため、遊技媒体数と貸出金額との対応関係の設定は、従業員にとって作業負担となっていた。また、店員の技量によっては、遊技媒体数と貸出金額との対応関係を適切に設定することができず、売上を損なう場合もあるという問題点があった。
【０００７】
本発明は、上述した従来技術の課題を解消するためのものであって、アミューズメント施設のゲームコーナーやゲームセンターの従業員の作業負荷を抑制しつつ、売上高の向上に効果のある対策を実施することを可能とする遊技媒体貸出システム及び遊技媒体貸出方法を提供することを目的とする。
【課題を解決するための手段】
【０００８】
上述した課題を解決し、目的を達成するため、貨幣と引き換えに貨幣価値に応じた数の遊技媒体の貸出を行う遊技媒体貸出システムであって、受け付けた貨幣の貨幣価値の一部または全部に相当する価値であって、前記遊技媒体の貸出に用いる使用価値を指定する使用価値指定手段と、前記貸出を行う遊技媒体の数と複数の前記使用価値との対応関係を特定する対応情報を記憶する対応情報記憶手段と、前記対応情報記憶手段で記憶した対応情報に従って前記遊技媒体の貸出処理を行う遊技媒体貸出処理手段と、所定の指示に基づいて複数の前記使用価値に関する対応情報を更新する対応情報更新手段とを備えたことを特徴とする。
【０００９】
上述した課題を解決し、目的を達成するため、本発明は、前記対応情報記憶手段は、貸出操作時に指定される使用価値に応じて前記遊技媒体の１枚当たりの貸出単価の異なる前記対応情報を記憶することを特徴とする。
【００１０】
上述した課題を解決し、目的を達成するため、本発明は、前記対応情報記憶手段は、消費税の徴収の有無によって異なる対応関係候補を生成し、前記対応関係候補から前記対応関係を選択し、選択した対応関係に応じた前記対応情報を記憶することを特徴とする。
【００１１】
上述した課題を解決し、目的を達成するため、本発明は、前記対応情報記憶手段は、曜日及び／又は時間帯に応じて異なる対応関係候補を生成し、前記対応関係候補から前記対応関係を選択し、選択した対応関係に応じた前記対応情報を記憶することを特徴とする。
【００１２】
上述した課題を解決し、目的を達成するため、本発明は、遊技客が事前に登録された会員であるか否かを識別する識別手段をさらに備え、前記対応情報記憶手段は、会員用の対応関係を特定する対応情報と非会員用の対応関係を特定する対応情報とをそれぞれ記憶し、前記遊技媒体貸出処理手段は、前記識別手段による識別結果に応じた対応情報を使用することを特徴とする。
【００１３】
上述した課題を解決し、目的を達成するため、本発明は、前記遊技媒体の貸出履歴を管理する履歴管理手段と、前記履歴管理手段の管理する前記貸出履歴から、売上向上に効果の想定される曜日別及び／又は時間帯別の推奨対応関係候補を生成する推奨対応関係候補生成手段と、前記推奨対応関係候補を出力する推奨対応関係候補出力手段とをさらに備えたことを特徴とする。
【００１４】
また、本発明は、貨幣と引き換えに貨幣価値に応じた数の遊技媒体の貸出を行う遊技媒体貸出方法であって、受け付けた貨幣の貨幣価値の一部または全部に相当する価値であって、前記遊技媒体の貸出に用いる使用価値を指定する使用価値指定ステップと、前記貸出を行う遊技媒体の数と複数の前記使用価値との対応関係を特定する対応情報を記憶する対応情報記憶ステップと、前記対応情報記憶ステップで記憶した対応情報に従って前記遊技媒体の貸出処理を行う遊技媒体貸出処理ステップと、所定の指示に基づいて複数の前記使用価値に関する対応情報を更新する対応情報更新ステップとを含んだことを特徴とする。
【発明の効果】
【００１５】
本発明によれば、貨幣を受け付けて、受け付けた価値のうち遊技媒体の貸出に用いる価値の指定を受け付けて、指定される価値ごとに貸出を行う遊技媒体の数との対応関係を特定する対応情報を記憶し、該対応情報に従って遊技媒体の貸出処理を行い、所定の指示に基づいて該対応情報を更新するよう構成したので、アミューズメント施設のゲームコーナーやゲームセンターの従業員の作業負荷を抑制しつつ、売上高の向上に効果のある対策を実施することができる。
【図面の簡単な説明】
【００１６】
【図１】図１は、本実施例に係る遊技媒体貸出システムによる売上高の向上の施策の実現方式の概要を説明するための説明図である。
【図２】図２は、本実施例に係る遊技媒体貸出システムのシステム構成を示す図である。
【図３】図３は、図２に示したメダル貸出機の外観構成を示す図である。
【図４】図４は、図２に示したメダル貸出機の本実施例に係る内部構成を示すブロック図である。
【図５】図５は、図２に示したメダル貸出機の本実施例に係るデータ構成について説明するための説明図である。
【図６】図６は、図２に示した  メダル貸出機のメダル貸出処理時に表示操作部に表示される画面構成を示す図である。
【図７】図７は、図２に示した管理装置の本実施例に係る内部構成を示すブロック図である。
【図８】図８は、図２に示した管理装置の本実施例に係るデータ構成について説明するための説明図（１）である。
【図９】図９は、図２に示した管理装置の本実施例に係るデータ構成について説明するための説明図（２）である。
【図１０】図１０は、図２に示したメダル貸出機に対するメダル貸出に係るパラメータ設定の処理手順を示すフローチャートである。
【図１１】図１１は、図２に示した管理装置の貸出メダル数テーブル設定処理時に表示される貸出メダル数テーブル設定画面の画面構成を示す図である。
【図１２】図１２は、図２に示したメダル貸出機のメダル貸出処理の処理手順を示すフローチャートである。
【図１３】図１３は、図１２に示したメダル貸出機のメダル投出処理の詳細な処理手順を示すフローチャートである。
【発明を実施するための形態】
【００１７】
以下に、添付図面を参照して、本発明に係る遊技媒体貸出システム及び遊技媒体貸出方法の好適な実施例を詳細に説明する。
【実施例】
【００１８】
まず、本実施例に係る遊技媒体貸出システムによる売上高の向上の施策の実現方式の概要を説明する。図１は、本実施例に係る遊技媒体貸出システムによる売上高の向上の施策の実現方式の概要を説明するための説明図である。図１に示すように遊技媒体貸出システムは、メダル貸出機１０と管理装置２０を有し、メダル貸出機１０と管理装置２０はＬＡＮ等の通信回線３０を介して接続している。
【００１９】
遊技客は、メダル貸出機１０に貨幣を入れてメダル貸出枚数を選択指定することによって遊技媒体であるメダルの貸出を受けることができる。メダル貸出機１０はメダル貸出に係る貸出メダル数テーブル１７ｂを有しており、貸出メダル数テーブル１７ｂは、遊技媒体の貸出金額と貸出金額毎の遊技媒体の貸出数を規定する情報を有している。メダル貸出機１０は、貸出メダル数テーブル１７ｂの内容に従って遊技媒体の貸出金額と貸出金額毎の遊技媒体の貸出数を画面に表示して、遊技客は貸出を希望する遊技媒体数に対応する金額をメダル貸出機１０に入れて、画面の操作によって遊技媒体の貸出数を選択指定することによって遊技媒体の貸出を受けることができる。
【００２０】
遊技客がメダル貸出機１０でメダル貸出操作を実施すると、メダル貸出機１０は、メダル貸出の実績を売上履歴として管理装置２０に送信する。メダル貸出機１０から売上履歴を受け付けた管理装置２０は、受け付けた売上履歴を売上履歴データ２５ｂとして蓄積する。また、管理装置２０は、蓄積された売上履歴データ２５ｂを基にして、過去の売上実績の売上履歴集計の処理を行い、曜日別や時間帯別の過去の売上の実績の集計結果である集計データを作成する。
【００２１】
また、管理装置２０は、該集計データを基にして、当店の売上高の向上に効果があると想定される、遊技媒体の貸出金額と貸出金額毎の遊技媒体の貸出数を規定する貸出パラメータ２５ｃの推奨値である貸出パラメータ推奨値２５ｆを生成する。貸出パラメータ推奨値２５ｆは、曜日別や時間帯別の過去の売上の実績の集計結果である集計データを基にして、曜日や時間帯ごとに生成される。
【００２２】
アミューズメント施設のゲームコーナーやゲームセンター等の従業員は、管理装置２０に表示される貸出パラメータ推奨値２５ｆを参考にして、貸出パラメータ２５ｃの設定を行う。貸出パラメータ２５ｃは、貸出金額ごとのメダル貸出単価、曜日ごとのメダル貸出における払出枚数の乗数及び時間帯ごとのメダル貸出における払出枚数の乗数などを有する。貸出パラメータ２５ｃに含まれる情報を基に、特定の曜日の特定の時間帯における貸出金額に対するメダルの貸出枚数を算出することができる。具体的には、貸出金額を該貸出金額に対するメダル貸出単価で除算して貸出金額に対する基本の貸出メダル数を算出し、曜日に対するメダル貸出における払出枚数の乗数と時間帯に対するメダル貸出における払出枚数の乗数の中間値を基本の貸出メダル数に掛けることによって、特定の曜日の特定の時間帯における貸出金額に対するメダルの貸出枚数を算出することができる。管理装置２０は、貸出パラメータ推奨値２５ｆを画面等に表示することによって、貸出パラメータ推奨値２５ｆの内容を参考にしながら貸出パラメータ２５ｃに設定する機能を提供する。
【００２３】
管理装置２０は、貸出パラメータ２５ｃの有する情報を基にして、曜日ごと及び時間帯ごとのそれぞれの貸出金額に対するメダルの貸出枚数を算出して、この算出結果を画面に表示する。また、管理装置２０は、画面に表示した貸出パラメータ２５ｃの情報を基にして自動算出した結果を、手入力で修正することも可能で、手入力による修正を含めた内容を貸出メダル数テーブル２５ｇに出力する。
【００２４】
また、管理装置２０は、出力した貸出メダル数テーブル２５ｇをメダル貸出機１０に配信する。貸出メダル数テーブル２５ｇを受け付けたメダル貸出機１０は、内部に記憶している貸出メダル数テーブル１７ｂを受け付けた貸出メダル数テーブル２５ｇで更新する。貸出メダル数テーブル１７ｂ、２５ｇは、曜日ごと及び時間帯ごとのそれぞれの貸出金額に対するメダルの貸出枚数の情報が含まれている。メダル貸出機１０は、貸出メダル数テーブル１７ｂに設定された内容に従って、遊技媒体の貸出金額と貸出金額毎の遊技媒体の貸出数を画面に表示する。また、画面に表示する内容は、貸出メダル数テーブル１７ｂに設定された内容に従って、曜日や時間帯によって自動的に変更する。
【００２５】
上述のように、メダル貸出操作による売上の履歴を記録し、蓄積された売上履歴の情報から曜日別及び時間帯別の過去の実績の集計を行い、この集計結果に基づいて曜日ごと及び時間帯ごとの遊技媒体の貸出金額と貸出金額に対する遊技媒体の貸出数を規定する貸出パラメータ２５ｃの推奨値を生成する。また、この貸出パラメータ２５ｃの推奨値を活用することによって効率的に貸出メダル数テーブル２５ｇを決定する手段を提供し、決定した貸出メダル数テーブル２５ｇをメダル貸出機１０に配信する。メダル貸出機１０は、配信された貸出メダル数テーブル１７ｂに従って、曜日ごと及び時間帯ごとに設定された条件で貸出処理を行うことから、従業員の作業負荷を抑制しつつ、売上高の向上に効果のある対策を実施することを可能とする。
【００２６】
次に、本実施例に係る遊技媒体貸出システムのシステム構成を説明する。図２は、本実施例に係る遊技媒体貸出システムのシステム構成を示す図である。図２に示す通り、遊技媒体貸出システムは１つ又は複数のメダル貸出機１０と管理装置２０を有し、メダル貸出機１０と管理装置２０は通信回線３０に接続し、通信回線３０を介してメダル貸出機１０と管理装置２０は通信を行うことができる。
【００２７】
メダル貸出機１０は、遊技客へのメダルの貸出を行う装置である。メダルの貸出処理は、遊技客が貨幣をメダル貸出機１０へ投入して、画面に表示される貸出金額若しくは貸出メダル数を選択するメダル貸出操作によって行われる。また、メダル貸出機１０は、メダル貸出機１０に投入した貨幣に満たない貸出金額を選択された場合には、釣銭の投出を行う。
【００２８】
また、メダル貸出機１０は、メダル貸出処理を行うとメダル貸出に係る売上の情報を売上履歴として管理装置２０に送付する。またメダル貸出機１０は、管理装置２０からメダル貸出にかかる貸出メダル数テーブル２５ｇを受け付けると、受け付けた貸出メダル数テーブル２５ｇで自身の有する貸出メダル数テーブル１７ｂの更新を行う。
【００２９】
貸出メダル数テーブル１７ｂ、２５ｇは、曜日ごと及び時間帯ごとのそれぞれの貸出金額に対するメダルの貸出枚数の情報を有しており、メダル貸出機１０は、貸出メダル数テーブル１７ｂに従ってメダルの貸出処理を行う。
【００３０】
管理装置２０は、会員情報を管理する装置である。また、管理装置２０は、メダル貸出機１０から受け付ける売上履歴の情報を蓄積して、売上履歴を蓄積した情報を曜日ごと及び時間帯ごとに集計を行い、該集計結果から売上を最大化する貸出パラメータ２５ｃの推奨値を生成する。また、管理装置２０は、貸出パラメータ推奨値２５ｆを利用して売上向上に効果の想定される貸出メダル数テーブル２５ｇを効率的に設定できる手段を提供する。また、管理装置２０は、貸出メダル数テーブル２５ｇの設定手段で貸出メダル数テーブル２５ｇが更新されたならば、更新後の貸出メダル数テーブル２５ｇを店内の全てのメダル貸出機１０に自動的に配信を行う。この場合、貸出メダル数テーブル２５ｇを配信されたメダル貸出機１０は、貸出メダル数テーブル２５ｇを受信した旨の返信を管理装置２０に行う。管理装置２０は、返信がないメダル貸出機１０を未設定状態として管理する機能を備えており、未設定状態のメダル貸出機１０に対して手動で貸出メダル数テーブル２５ｇを再配信する機能を備えている。このような構成により、断線や故障、電源の瞬断などで円滑に貸出メダル数テーブル２５ｇの受信ができなかった場合にも、管理装置２０側でその対処が可能になる。
【００３１】
次に、図２に示したメダル貸出機１０の外観構成を説明する。図３は、図２に示したメダル貸出機１０の外観構成を示す図である。図３に示す通り、メダル貸出機１０の前面には、硬貨投入口１１ａ、硬貨投出口１１ｂ、紙幣投入排出口１２ａ、表示操作部１３、メダル取出口１４、指紋読取部１６及びカメラ１９が配置されている。
【００３２】
硬貨投入口１１ａはメダルの貸出若しくは両替のための硬貨の投入口である。硬貨投出口１１ｂは、メダルの貸出処理における釣銭及び両替時の両替硬貨を払い出す口である。
【００３３】
紙幣投入排出口１２ａは、紙幣の投入口と排出口を兼ねている。メダルの貸出若しくは両替のための紙幣の投入口であり、紙幣の釣銭がある場合には紙幣を払い出す口として機能する。
【００３４】
表示操作部１３は、タッチパネル式のディスプレイ装置であり、遊技客に対するガイダンスメッセージの表示及び遊技客の操作のためのボタンを配置する。
【００３５】
メダル取出口１４は、メダル貸出処理によって投出されたメダルを取り出す口である。メダル貸出処理では、まずメダル貸出機１０の内部のカップ投出部１４ａからカップが投出され、次に、投出されたカップにメダル貸出機１０の内部のメダル投出部１５からメダルが投出される。このメダルの投出されたカップを、カップごと取り出す口がメダル取出口１４である。
【００３６】
指紋読取部１６は、会員の指紋の読み取りを行う読取部である。カメラ１９は、メダル貸出機１０を操作する遊技客の顔を含めた画像を撮像する。
【００３７】
次に、図２に示したメダル貸出機１０の本実施例に係る内部構成を説明する。図４は、メダル貸出機１０の本実施例に係る内部構成を示すブロック図である。
【００３８】
図４に示すように、メダル貸出機１０は、硬貨処理部１１、硬貨投入口１１ａ、硬貨投出口１１ｂ、紙幣処理部１２、紙幣投入排出口１２ａ、表示操作部１３、メダル取出口１４、カップ投出部１４ａ、メダル投出部１５、指紋読取部１６、記憶部１７、制御部１８、及びカメラ１９を有している。
【００３９】
硬貨処理部１１は、硬貨投入口１１ａから入れられた硬貨の真贋判定、金種判定及び金額計数を実施する。また、硬貨処理部１１は、制御部１８からの指示により、指定された硬貨の金種ごとの金額を硬貨投出口１１ｂに投出する。
【００４０】
紙幣処理部１２は、紙幣投入排出口１２ａから入れられた紙幣の真贋判定、金種判定及び金額計数を実施する。また、紙幣処理部１２は、制御部１８からの指示により、指定された紙幣の金種ごとの金額を紙幣投入排出口１２ａに投出する。
【００４１】
カップ投出部１４ａは、制御部１８からの指示によりカップ投出部１４ａの内部に収納しているカップをメダル取出口１４に投出する。メダル投出部１５は、制御部１８からの指示によりメダル投出部１５の内部に貯留されているメダルをメダル取出口１４に投出されたカップに投出する。また、メダル投出部１５は独立にメダルの投出動作を行うホッパＡ１５ａとホッパＢ１５ｂを有し、制御部１８からの指示でメダル投出動作を実行する。
【００４２】
指紋読取部１６は、遊技客の指紋の読み取りが行われると読み取った指紋データを制御部１８に通知する。カメラ１９は、メダル貸出機１０の前面に配置され、メダル貸出機１０を利用する遊技客の画像を撮像する。
【００４３】
記憶部１７は、ハードディスク装置や不揮発性メモリ等からなる記憶デバイスであり、硬貨紙幣預かりデータ１７ａ、貸出メダル数テーブル１７ｂ、会員個別データ１７ｃ、メダル貸出データ１７ｄ及び年齢推定値１７ｅを有する。
【００４４】
硬貨紙幣預かりデータ１７ａは、処理開始時に硬貨処理部１１で金額計数した硬貨の計数金額と、紙幣処理部１２で金額計数した紙幣計数金額を記憶し、釣銭の支払いを含めたメダル貸出処理若しくは両替処理の終了時にはゼロクリアされる。
【００４５】
貸出メダル数テーブル１７ｂは、曜日ごと及び時間帯ごとのそれぞれの貸出金額に対するメダルの貸出枚数の情報を含むデータである。また、貸出メダル数テーブル１７ｂは、管理装置２０で設定され、管理装置２０で設定された貸出メダル数テーブル２５ｇは、管理装置２０から店内の全てのメダル貸出機１０に配信される。
【００４６】
会員個別データ１７ｃは、指紋読取部１６で読み取った指紋のデータを受け付けて指紋の特徴データと、該指紋の特徴データに対応する会員の属性やポイント情報を有する。
【００４７】
メダル貸出データ１７ｄは、遊技客が表示操作部１３で指定したメダル貸出指定金額、メダル貸出指定枚数、会員特典等によって無償で貸し出されるメダル枚数及びメダル投出処理中の残投出枚数等を記憶する。
【００４８】
年齢推定値１７ｅは、カメラ１９で撮像したメダル貸出操作を行っている遊技客の顔画像から推定した遊技客の年齢を記憶する。
【００４９】
制御部１８は、メダル貸出機１０を全体制御する制御部であり、画面制御部１８ａ、硬貨紙幣預かり部１８ｂ、メダル貸出制御部１８ｃ、カップ投出制御部１８ｄ、メダル投出制御部１８ｅ、両替釣銭処理部１８ｆ、会員データ管理部１８ｇ、売上情報送信部１８ｈ、貸出メダル数テーブル受付部１８ｉ、プレミアム付与決定部１８ｊ及び顔認識処理部１８ｋを有する。実際には、これらの機能部に対応するプログラムを図示しないＲＯＭや不揮発性メモリに記憶しておき、これらのプログラムをＣＰＵ（Central Processing Unit）にロードして実行することにより、それぞれに対応するプロセスを実行させることになる。
【００５０】
画面制御部１８ａは、表示操作部１３の制御を行う。画面制御部１８ａは、硬貨及び紙幣投入後にメダル貸出金額若しくは両替の指定を行うためのメダル貸出金額指定画面、メダル貸出操作中の遊技客の年齢確認を行うための年齢確認画面及びメダル貸出処理中に表示するメダル貸出処理中画面等の表示と画面に配置されたボタン操作の検知を行う。また、メダル貸出金額指定画面の表示においては、貸出メダル数テーブル１７ｂに設定された内容に従ってメダル貸出金額及びメダル貸出枚数を指定用のボタン上に構成して表示画面を生成する。また、画面制御部１８ａは、後述する顔認識処理部１８ｋによって遊技客が所定の年齢以上と判定された場合には、文字サイズや画面の明るさ等の異なる高齢者用の画面を表示する。本実施例では、顔認識処理部１８ｋによる年齢の推定によって高齢者と判定されたならば、画面文字サイズ、明るさ等を変更する例としたが、音声ガイダンスを付ける等の付加機能を追加するものとしても良い。また、顔認識処理部１８ｋによって、年齢以外の属性（例えば性別）の判定が可能であれば、該属性を意識した画面表示形態に変更しても良い。
【００５１】
硬貨紙幣預かり部１８ｂは、硬貨処理部１１で金額計数した値を硬貨紙幣預かりデータ１７ａに書き込む。また、硬貨紙幣預かり部１８ｂは、紙幣処理部１２で金額計数した値を硬貨紙幣預かりデータ１７ａに書き込む。
【００５２】
メダル貸出制御部１８ｃは、メダル貸出処理全体の制御を行う。詳細には、後述するが、メダル貸出制御部１８ｃは、画面制御部１８ａ、硬貨紙幣預かり部１８ｂ、カップ投出制御部１８ｄ、メダル投出制御部１８ｅ及び両替釣銭処理部１８ｆを制御してメダル貸出処理全体を制御する。
【００５３】
カップ投出制御部１８ｄは、カップ投出部１４ａの制御を行ってカップをメダル取出口１４に投出する。メダル投出制御部１８ｅは、メダル投出部１５の制御を行ってメダルをメダル取出口１４のカップへ投出する。
【００５４】
両替釣銭処理部１８ｆは、硬貨処理部１１と紙幣処理部１２を制御して両替時の両替硬貨の投出処理及び釣銭がある場合の釣銭の投出処理を実施する。
【００５５】
会員データ管理部１８ｇは、指紋読取部１６から読み取った指紋データを受け付けたならば、受け付けた指紋データから指紋の特徴データを生成して会員個別データ１７ｃに記憶する。また、会員データ管理部１８ｇは、生成した指紋の特徴データを含む会員情報の取得要求を管理装置２０に送信し、管理装置２０から当該指紋の特徴データに対応付けられた会員の属性やポイントの情報を入手して会員個別データ１７ｃに記憶する。
【００５６】
売上情報送信部１８ｈは、メダル貸出機１０でメダル貸出処理が終了したならばメダル貸出処理での売上に係る情報を編集して管理装置２０に送信する。
【００５７】
貸出メダル数テーブル受付部１８ｉは、管理装置２０から貸出メダル数テーブル２５ｇを受付けたならば、受付けた貸出メダル数テーブル２５ｇで貸出メダル数テーブル１７ｂを更新する。
【００５８】
プレミアム付与決定部１８ｊは、貨幣の対価としてメダルを貸し出すメダル貸出とは別に、会員のポイントを使用してポイントと引き換えに貸し出すメダル数を決定したり、遊技客の活動に応じて無償で貸し出すメダル数を決定する処理部である。ポイントとは、遊技客の何らかの活動によって付与されるもので、メダル貸出の所定金額毎に１ポイント付与されたり、自身が会員で他の遊技客を紹介して会員になった場合には、紹介者及び被紹介者に所定のポイントが付与されたりする。また、ポイント以外のメダルの無償の貸出は、所定の期間内に再来店した場合などに行われる。また、プレミアム付与決定部１８ｊは、決定した貨幣の対価ではない無償のメダルの貸与数はメダル貸出データ１７ｄに記憶して、メダル投出の対象に加える。
【００５９】
顔認識処理部１８ｋは、カメラ１９で撮像した遊技客の顔画像を入力データとして、遊技客の年齢を推定し、推定した年齢を年齢推定値１７ｅに登録する。
【００６０】
メダル貸出制御部１８ｃによる、メダル貸出処理を説明する。まず、メダル貸出制御部１８ｃは、硬貨紙幣預かり部１８ｂからの硬貨若しくは紙幣の金額計数通知を受けたならば、画面制御部１８ａにメダル貸出金額若しくは両替の指定を行うためのメダル貸出金額指定画面の表示依頼を示すメダル貸出金額指定画面表示要求を行う。遊技客が表示されたメダル貸出金額指定画面を操作して貸出金額の指定が行われると、画面制御部１８ａは指定された貸出金額の情報を含む貸出金額選択通知をメダル貸出制御部１８ｃに通知する。貸出金額選択通知を受けたメダル貸出制御部１８ｃは、画面制御部１８ａにメダル貸出金額の操作内容の確認のためのメダル貸出確認画面の表示依頼を示すメダル貸出確認画面表示要求を行う。遊技客によって表示されたメダル貸出確認画面で指定内容の確認が行われると、画面制御部１８ａは確認応答通知をメダル貸出制御部１８ｃに通知する。確認通知を受けたメダル貸出制御部１８ｃは、画面制御部１８ａにメダル貸出処理中に表示するメダル貸出処理中画面の表示依頼を示すメダル貸出処理中画面表示要求を行う。
【００６１】
次に、メダル貸出制御部１８ｃは、カップ投出制御部１８ｄにカップの投出要求を行い、メダル投出制御部１８ｅに投出したカップへのメダル投出要求を行う。メダル投出制御部１８ｅは、メダルの投出処理が終了すると、メダル貸出制御部１８ｃにメダル投出処理の結果を含むメダル投出結果応答を返却する。複数のカップへのメダルの分割投出がなければ、メダルの投出処理はこれで終了となる。釣銭がある場合には、メダル貸出制御部１８ｃは、釣銭投出要求を両替釣銭処理部１８ｆに行うことで釣銭を投出する。
【００６２】
複数のカップへのメダルの分割投出がある場合には、メダル貸出制御部１８ｃは、メダル投出制御部１８ｅからの投出結果応答を受け付けたならば、画面制御部１８ａに表示中のメダル貸出処理中画面の表示内容の更新依頼を示すメダル貸出処理中画面更新要求を行う。メダル貸出処理中画面更新要求を受け付けた画面制御部１８ａは、投出済みメダル枚数、残投出メダル枚数等の表示内容を更新すると伴に、メダルの投出されたカップの取出のガイダンスメッセージの表示を行う。カップが取り出されたならば、メダル貸出制御部１８ｃは、残りのメダルの投出を継続し、カップ投出制御部１８ｄにカップの投出要求、メダル投出制御部１８ｅにメダル投出要求を行い、メダル投出制御部１８ｅからのメダル投出結果応答を受け付けたならば、釣銭がある場合には両替釣銭処理部１８ｆに釣銭投出要求を行って一連のメダル貸出処理が終了となる。更に、カップへのメダルの分割投出がある場合には、メダル投出制御部１８ｅからのメダル投出結果応答を受け付け以降同様の処理を繰り返す。
【００６３】
次に、図２に示したメダル貸出機１０の本実施例に係るデータ構成について説明する。図５は、メダル貸出機１０の本実施例に係るデータ構成について説明するための説明図である。
【００６４】
貸出メダル数テーブル１７ｂは、貸出金額と時間帯区分に、貸出メダル情報を関連付けたデータである。時間帯区分は営業時間の区分であり「１」は１０時から１２時を示し、「２」は１２時から１８時を示し、「３」は１８時から２４時を示す。また、貸出メダル情報は、貸出金額と時間帯区分に対応する曜日ごとの貸し出すメダル数と該メダル数を投出に必要なカップ数とを含む。
【００６５】
図５の貸出メダル数テーブル１７ｂの例は、貸出金額が「５００円」で時間帯区分が「１」の１０時から１２時の時間帯には、月曜日は「１」カップに「１５５」枚、火曜日は「１」カップに「１５５」枚、水曜日は「１」カップに「１５０」枚、木曜日は「１」カップに「１５５」枚、金曜日は「１」カップに「１３０」枚、土曜日は「１」カップに「１３０」枚、日曜日は「１」カップに「１３５」枚のメダルを貸し出すことを示している。また、貸出金額が「５００円」で時間帯区分が「２」の１２時から１８時の時間帯には、月曜日は「１」カップに「１３５」枚、火曜日は「１」カップに「１３５」枚、水曜日は「１」カップに「１３０」枚、木曜日は「１」カップに「１３５」枚、金曜日は「１」カップに「１１０」枚、土曜日は「１」カップに「１１０」枚、日曜日は「１」カップに「１１５」枚のメダルを貸し出すことを示している。また、貸出金額が「５００円」で時間帯区分が「３」の１８時から２４時の時間帯には、月曜日は「１」カップに「１２５」枚、火曜日は「１」カップに「１２５」枚、水曜日は「１」カップに「１２０」枚、木曜日は「１」カップに「１２５」枚、金曜日は「１」カップに「１００」枚、土曜日は「１」カップに「１００」枚、日曜日は「１」カップに「１０５」枚のメダルを貸し出すことを示している。以降のレコードの設定内容の説明は、同様の構造であることから省略する。
【００６６】
会員個別データ１７ｃは、会員ＩＤ、会員ＩＤに対応する会員の氏名、性別、生年月日等の属性情報、ポイント数、当該店舗を利用した最終利用日及び指紋特徴データを有する。指紋特徴データは、指紋読取部１６で読み取った指紋データから生成した指紋特徴データである。また、指紋特徴データ以外の会員ＩＤ、属性情報、ポイント数及び最終利用日のデータは、指紋特徴データを指定して管理装置２０に照会を行うことによって、管理装置２０から取得したデータである。図５の会員個別データ１７ｃの例は、会員ＩＤが「１２３」で、属性情報の氏名が「タナカ  イチロウ」で、性別が「男」で、生年月日が「１９８０年４月１０日」で、保有しているポイント数が「２５」ポイントで、最終利用日が「２０１３年４月１０日」であることを示している。
【００６７】
メダル貸出データ１７ｄは、メダル貸出操作で遊技客の指定したメダル貸出金額及びメダル貸出枚数と、貨幣の対価ではない貸与のメダル数であるプレミアム付与メダル枚数と、メダルの投出処理中のメダルの投出残数を示す残投出枚数を有する。貨幣の対価ではない貸与のメダルとは、会員のポイント数に応じてポイントと引き換えで貸与されるメダル及び所定の期間内に再来店した遊技客に無償で貸与されるメダルを示す。図５のメダル貸出データ１７ｄは、メダル貸出金額が「５００」円で、メダル貸出枚数が「１００」枚で、プレミアム付与メダル枚数が「２５」枚で、残投出枚数が「５０」枚であることを示している。
【００６８】
次に、図２に示したメダル貸出機１０のメダル貸出処理時に表示操作部１３に表示される画面構成を説明する。図６は、メダル貸出機１０のメダル貸出処理時に表示操作部１３に表示される画面構成を示す図である。図６に示す画面は、遊技客の硬貨及び紙幣投入後にメダル貸出金額若しくは両替の指定を行うための（１）のメダル貸出金額指定画面、年齢確認を行う時に表示する（２）の年齢確認画面、高齢者がメダル貸出金額若しくは両替の指定を行うための（３）の高齢者用メダル貸出金額指定画面及びメダル貸出処理中に表示する（４）のメダル貸出処理中画面がある。
【００６９】
（１）のメダル貸出金額指定画面は、遊技客が硬貨若しくは紙幣を投入口から投入したならば表示される。図６に示す通り、画面上部には「メダル貸出金額、または両替を指定してください」のメッセージを表示して、画面中央にはメダル貸出金額を指定するボタンと両替を指定するボタンとを配置する。表示されるメダル貸出に係るボタンは、貸出メダル数テーブル１７ｂ、曜日及び時刻で決定する内容を表示する。図６に示すメダル貸出金額指定画面は、図５に示した貸出メダル数テーブル１７ｂの設定値であった場合で、金曜日の１８時〜２４時に対応する表示例である。図５に示した貸出メダル数テーブル１７ｂの設定値の内容によると、５００円の貸出金額に対しての貸出メダル数は「１００」枚で、１０００円の貸出金額に対しての貸出メダル数は「２００」枚で、２０００円の貸出金額に対しての貸出メダル数は「５００」枚で、３０００円の貸出金額に対しての貸出メダル数は「８００」枚で、５０００円の貸出金額に対しての貸出メダル数は「２０００」枚であり、この設定内容に従ってボタン上に表示したのが図６の（１）のメダル貸出金額指定画面である。遊技客は図６の（１）に示すメダル貸出金額指定画面で表示されたいずれかのボタンを押下することによって、メダル貸出金額の指定若しくは両替の指定をする。また、遊技客の投入した金額に対応して操作不可能なボタンは表示しないかグレーダウン表示として操作不可とする。
【００７０】
（２）の年齢確認画面は、所定の時間帯については年齢による利用制限をする場合において、カメラ１９で採取した顔画像から顔認識処理部１８ｋが遊技客の年齢を推定し、その年齢推定値１７ｅが制限年齢に対して所定の範囲であった場合に表示する。図６の（２）の年齢確認画面は、２０時以降の１８歳未満の人の利用を制限した場合に顔画像から年齢が１８歳近傍と推定された場合の例である。画面上部には「年齢確認が必要です」のメッセージを表示して、画面中央には２０時以降は１８歳未満の方は制限されている旨のメッセージが表示され、画面下部には１８歳以上若しくは１８未満を選択するボタンが表示される。１８歳以上であることのボタンを押下した場合には、（１）のメダル貸出金額指定画面が表示され、１８歳未満であることのボタンを押下した場合には、投入した硬貨及び紙幣は返却されメダルの貸出操作は行えない。
【００７１】
（３）の高齢者用メダル貸出金額指定画面は、カメラ１９で採取した顔画像から顔認識処理部１８ｋが推定した年齢が高齢者に対応する所定の範囲に該当した場合には、（１）の代わりに（３）の高齢者用メダル貸出金額指定画面を表示する。（３）の高齢者用メダル貸出金額指定画面の表示内容は（１）のメダル貸出金額指定画面内容と同等であるが、文字サイズが大きいとか、画面の明るさが高い等の高齢者用の配慮のされた画面となっている。
【００７２】
（４）のメダル貸出処理中画面は、（１）のメダル貸出金額指定画面若しくは（３）の高齢者用メダル貸出金額指定画面で指定されたメダル貸出の処理中に表示される画面である。図６の（４）のメダル貸出処理中画面は、メダルの貸出枚数が１カップへの投出上限枚数を超える枚数指定した時の、途中のカップへのメダル投出が終わったタイミングで表示される画面の例を示している。図に示す通り、画面上部には「カップを取り出して下さい」のメッセージを表示して、画面中央左側にはメダル取出口１４からカップを取り出す操作のガイダンス画像を表示する。また、画面中央右側には、遊技客の指定したメダル払出枚数と、メダル払出枚数から投出済メダル枚数を差し引いた残りメダル枚数と残りメダル枚数の分割投出回数に対応する残りカップ数が表示される。また画面下部右側には、「カップを取り出してください  カップの取り出し後に、残りのメダルを払い出します」のメッセージが表示される。また、設定の変更によって、画面下部右側には「カップを取り出してから[払い出す]を押してください」のメッセージと「払い出す」ボタンを配置して、「払い出す」ボタンの押下によって、次のメダルの払出を行うようにすることも可能である。また、残りカップ数の表示について、設定によって残りカップ数を残りのカップ数分のイメージを表示することによって表現することも可能である。また、カップ数が一定数以上の多数となる場合には、必ずしも正確な数を表示しなくてもよく、残りカップ数が所定数以下となるまでは概数（おおよその数）を表示してもよいし、複数カップを１単位としたイメージを表示してもよい。
【００７３】
次に、図２に示した管理装置２０の本実施例に係る内部構成を説明する。図７は、管理装置２０の本実施例に係る内部構成を示すブロック図である。
【００７４】
図７に示すように、管理装置２０は、表示部２１及び入力部２２と接続される。表示部２１は、液晶パネルを利用したディスプレイ装置等であり、入力部２２は、キーボードやマウス等である。また、管理装置２０は、通信部２４、記憶部２５及び制御部２６を有する。通信部２４は、通信回線３０を経由してメダル貸出機１０とデータ通信するためのインタフェース部である。
【００７５】
記憶部２５は、ハードディスク装置や不揮発性メモリ等の記憶デバイスであり、会員データ２５ａと、売上履歴データ２５ｂと、貸出パラメータ２５ｃと、曜日別・乗数別集計データ２５ｄと、時間帯別・乗数別集計データ２５ｅと、貸出パラメータ推奨値２５ｆと、貸出メダル数テーブル２５ｇとを有する。
【００７６】
会員データ２５ａは、会員登録している遊技客の会員情報である。会員データ２５ａは会員ＩＤをキーにして、会員の属性情報、ポイント情報及び最終利用日の情報などのデータを１レコードに含む、複数レコードで構成されるデータである。ポイントはメダルの貸出や会員の紹介等によって加算され、ポイントと交換にメダル貸出を受けることができる。
【００７７】
売上履歴データ２５ｂは、メダル貸出機１０でメダル貸出処理の都度、管理装置２０に通知してくるメダル貸出処理の売上履歴を蓄積したデータである。貸出パラメータ２５ｃは、メダル貸出に係る曜日別及び時間帯別のメダルの貸出金額と貸出金額毎のメダル枚数に関する内容を規定したデータである。
【００７８】
曜日別・乗数別集計データ２５ｄは、売上履歴データ２５ｂに蓄積された過去の売上履歴の所定期間のデータを集計して、曜日別及び払出枚数乗数別に１日当たりの売上金額の平均値を算出したデータである。この曜日別・乗数別集計データ２５ｄを作成することによって、集計対象とした所定の期間において、曜日別に１日当たりの売り上げが最も大きな値となった払出枚数乗数を特定することができる。
【００７９】
時間帯別・乗数別集計データ２５ｅは、売上履歴データ２５ｂに蓄積された過去の売上履歴の所定期間のデータを集計して、時間帯別及び払出枚数乗数別に単位時間当たりの売上金額の平均値を算出したデータである。この時間帯別・乗数別集計データ２５ｅを作成することによって、集計対象とした所定の期間において、時間帯別に単位時間当たりの売り上げが最も大きな値となった払出枚数乗数を特定することができる。
【００８０】
貸出パラメータ推奨値２５ｆは、曜日別・乗数別集計データ２５ｄ及び時間帯別・乗数別集計データ２５ｅの結果を利用して生成したデータであり、売上向上を目的とする曜日別払出枚数の乗数の推奨値と時間帯別払出枚数の乗数の推奨値とを含む。
【００８１】
貸出メダル数テーブル２５ｇは、曜日ごと及び時間帯ごとのそれぞれの貸出金額に対するメダルの貸出枚数の情報を含むデータである。また、貸出メダル数テーブル２５ｇは、メダル貸出機１０に配信されてメダル貸出機１０に記憶される貸出メダル数テーブル１７ｂと構造も同じである。
【００８２】
制御部２６は、管理装置２０の全体を制御する制御部であり、会員情報管理部２６ａと、売上履歴記録部２６ｂと、売上履歴集計部２６ｃと、推奨値生成部２６ｄと、貸出パラメータ管理部２６ｅとを有する。実際には、これらの機能部に対応するプログラムを図示しないＲＯＭ等の不揮発性メモリに記憶しておき、これらのプログラムをＣＰＵ（Central Processing Unit）にロードして実行することにより実現される。
【００８３】
会員情報管理部２６ａは、会員データ２５ａの管理を行なう処理部である。会員情報管理部２６ａは、表示部２１及び入力部２２を使用して会員の属性情報の登録内容及び更新内容を入力させて会員データ２５ａの登録及び更新処理を行う。また、会員情報管理部２６ａは、会員ＩＤに関連付けられたポイント付与による加算処理やポイントを利用してメダル貸出を行った時等の減算処理を実施する。具体的には、メダル貸出機１０において会員が指紋読取部１６で指紋を読み取らせたうえでメダル貸出操作を行うと貸出金額に応じて付与されたポイントを、会員データ２５ａの当該指紋データに関連づけられた会員のデータに加算する。また、会員の紹介により新規会員の登録が行われた場合には、紹介した会員及び新規登録した会員に対してポイントが付与されたならば、付与されたポイント数を会員データ２５ａの当該会員のデータに加算する。メダル貸出操作時にポイントを利用してメダル貸出を行うと、付与されたメダル数に対応するポイント数を会員データ２５ａの当該会員のデータから減算する。また、会員情報管理部２６ａは、メダル貸出機１０等における会員による指紋データの読み込みにより来店を認識し、会員データ２５ａの当該指紋データに関連づけられた会員のデータ最終利用日の更新を行う。
【００８４】
売上履歴記録部２６ｂは、メダル貸出機１０にてメダル貸出操作が行われる都度、メダル貸出機１０から送信されてくる売上履歴の情報を売上履歴データ２５ｂに追加登録する。
【００８５】
売上履歴集計部２６ｃは、売上履歴記録部２６ｂが蓄積した売上履歴データ２５ｂを集計して、曜日別・乗数別集計データ２５ｄと時間帯別・乗数別集計データ２５ｅを生成する。曜日別・乗数別集計データ２５ｄ及び時間帯別・乗数別集計データ２５ｅの集計内容に関しては後述する。
【００８６】
推奨値生成部２６ｄは、売上履歴集計部２６ｃが生成した曜日別・乗数別集計データ２５ｄと時間帯別・乗数別集計データ２５ｅから、所定の生成基準に従って貸出パラメータ推奨値２５ｆを生成する。
【００８７】
貸出パラメータ管理部２６ｅは、貸出パラメータ推奨値２５ｆを利用して貸出パラメータ２５ｃの設定処理と、貸出パラメータ２５ｃを利用して貸出メダル数テーブル２５ｇの設定処理及び設定した貸出メダル数テーブル２５ｇのメダル貸出機１０への配信処理を行う。貸出パラメータ２５ｃの設定処理は、現状の貸出パラメータ２５ｃの内容と貸出パラメータ推奨値２５ｆの内容とを画面に表示して、パラメータ毎に、現状の貸出パラメータ２５ｃのまま変更しないか、貸出パラメータ推奨値２５ｆのとおりに変更するか、現状の貸出パラメータ２５ｃ及び貸出パラメータ推奨値２５ｆの値を参考にしつつ個別に詳細の設定をすることを選択することが可能である。また、貸出メダル数テーブル２５ｇの設定処理は、貸出パラメータ２５ｃに従って自動算出される曜日ごと及び時間帯ごとのそれぞれの貸出金額に対するメダルの貸出数を基本として、自動算出した内容を画面に表示して個別の値の設定を行うことも可能である。
【００８８】
次に、図２に示した管理装置２０の本実施例に係るデータ構成について説明する。図８及び図９は、管理装置２０の本実施例に係るデータ構成について説明するための説明図である。まず、図８に示す管理装置２０のデータのデータ構成について説明する。
【００８９】
会員データ２５ａは、会員ＩＤをキー情報として、会員の属性情報、ポイント数、最終利用日及び指紋特徴データを有する。会員の属性情報は、氏名、性別及び生年月日等の情報を１レコードの情報として有する、複数レコードで構成されるデータである。図８の会員データ２５ａは、会員ＩＤが「０１２３」で、属性情報の氏名が「タナカ  イチロウ」で、性別が「男」で、生年月日が「１９８０年４月１０日」で、保有しているポイント数が「２５」ポイントで、最終利用日が「２０１３年４月１０日」であるレコードを有していることを示している。
【００９０】
売上履歴データ２５ｂは、メダル貸出処理を実施した日付／曜日／時刻と、メダル貸出操作で指定されたメダル枚数／金額（円）と、メダル貸出を実施した時の曜日乗数と、時間帯乗数と、ポイントとの交換等のプレミアム付与のメダル枚数と、当該メダル貸出処理を行った遊技客が会員であった場合には会員ＩＤの情報を１レコードとする、複数レコードで構成されるデータである。図８の売上履歴データ２５ｂは、メダル貸出処理を実施した日付が「２０１３／４／１０」で、曜日が「水」曜日で、時刻が「１８：３０」で、メダル貸出操作で指定されたメダル枚数が「１２５」枚で、金額が「５００」円で、メダル貸出を実施した時の曜日乗数が「１．５」で、時間帯乗数が「１．０」で、プレミアム付与のメダル枚数が「２０」枚で、当該メダル貸出処理を行った遊技客の会員ＩＤが「０１２３」であるレコードを有していることを示している。
【００９１】
貸出パラメータ２５ｃは、メダル貸出処理に係る消費税率、消費税徴収の有無、貸出金額別単価設定、曜日別払出枚数乗数及び時間帯別払出枚数乗数を有する。貸出金額別単価設定は、メダル貸出金額毎にメダル１枚当たりの貸出単価の設定である。消費税の徴収の有無が「無」となっている場合には、（貸出金額）÷（貸出金額別単価）で求めた値を当該貸出金額に対するメダル貸出枚数とする。また、消費税の徴収の有無が「有」となっている場合には、貸出金額に消費税率に設定された率の消費税を含めて徴収するものとする。具体的には（貸出金額）÷｛（貸出金額別単金）×（１＋消費税率）｝で得られる値の小数点以下を切り上げた整数値を、当該貸出金額に対するメダル貸出枚数とする。
【００９２】
また、前記の消費税率、消費税徴収の有無及び貸出金額別単価で決定されたメダル貸出枚数に対して、曜日別払出枚数乗数及び時間帯別払出枚数乗数で決定される乗数を掛けた値を曜日別・時間帯別のメダル貸出枚数とする。曜日別払出枚数乗数は曜日別に設定された乗数で、時間帯別払出枚数乗数は時間帯別に設定された乗数である。曜日別・時間帯別のメダル貸出枚数を算出する乗数は、メダル貸出操作を実施した曜日、時間帯の曜日別払出枚数乗数と時間帯別払出枚数乗の中間値である。また、曜日別・時間帯別のメダル貸出枚数は、曜日別払出枚数乗数と時間帯別払出枚数乗の中間値とした乗数を消費税率、消費税徴収の有無及び貸出金額別単価で決定されたメダル貸出枚数に掛けて算出する。
【００９３】
図８の貸出パラメータ２５ｃの例は、消費税率が「５％」で、消費税徴収の有無が「無」で、メダル貸出の貸出金額別単価設定については５００円では１玉あたり「５円」で、１０００円では１玉あたり「５円」で、２０００円では１玉あたり「４円」で、３０００円では１玉あたり「４円」で、５０００円では１玉あたり「２．５円」であることを示している。また、図８の貸出パラメータ２５ｃは、曜日別払出枚数乗数が月曜日が「１．５」で、火曜日が「１．５」で、水曜日が「１．５」で、木曜日が「１．５」で、金曜日が「１．０」で、土曜日が「１．０」で、日曜日が「１．２」であることを示している。また、図８の貸出パラメータ２５ｃは、時間帯別払出枚数乗数が１０時〜１２時が「１．５」で、１２時〜１８時が「１．２」で、１８時〜２４時が「１．０」であることを示している。
【００９４】
次に、図９に示す管理装置２０のデータのデータ構成について説明する。曜日別・乗数別集計データ２５ｄは、縦軸に曜日、横軸に曜日別の払出枚数の乗数を配置して、曜日別、払出枚数の乗数別の売上実績を集計して１日当たりの平均売上実績を算出したものである。集計値が「−」と記載されているのは、対応する曜日に対応する曜日別の乗率の設定実績が過去にないことを示している。図９に示す曜日別・乗数別集計データ２５ｄは、月曜日に関する過去の実績では、曜日別払出枚数乗数を１．２にした時の１日の平均売上が「２０，０００」円で、曜日別払出枚数乗数を１．３にした時の１日の平均売上が「２２，０００」円で、曜日別払出枚数乗数を１．４にした時の１日の平均売上が「２４，０００」円で、曜日別払出枚数乗数を１．５にした時の１日の平均売上が「２９，０００」円で、曜日別払出枚数乗数を１．６にした時の１日の平均売上が「２８，０００」円で、曜日別払出枚数乗数を１．７にした時の１日の平均売上が「２７，０００」円で、曜日別払出枚数乗数を１．８にした時の１日の平均売上が「２６，０００」円であることを示している。つまり、過去の実績では月曜日については曜日別払出枚数乗数を１．５にした場合が１日の売上金額の平均値が最大となっていることを示している。
【００９５】
火曜日以降に関する集計結果の値についての説明は行わないが、図９の曜日別・乗数別集計データ２５ｄに示す通り売上履歴データ２５ｂの内容を基にした過去の実績では、火曜日は曜日別払出枚数乗数を１．５にした場合、水曜日は曜日別払出枚数乗数を１．４にした場合、木曜日は曜日別払出枚数乗数を１．５にした場合、金曜日は曜日別払出枚数乗数を１．０にした場合、土曜日は曜日別払出枚数乗数を１．０にした場合、日曜日は曜日別払出枚数乗数を１．１にした場合が、曜日別に１日の売上金額の実績の平均値が最大となっていることを示している。
【００９６】
時間帯別・乗数別集計データ２５ｅは、縦軸に時間帯、横軸に時間帯別の払出枚数の乗数を配置して、時間帯別、払出枚数の乗数別の売上実績を集計して１時間当たりの平均売上実績を算出したものである。集計値が「−」と記載されているのは、対応する時間帯に対応する時間帯別の乗率の設定実績が過去にないことを示している。図９に示す時間帯別・乗数別集計データ２５ｅは、１０時〜１２時の時間帯に関する過去の実績では、時間帯別払出枚数乗数を１．２にした時の１時間当たりの平均売上が「４，０００」円で、１．３にした時の１時間当たりの平均売上が「４，３００」円で、１．４にした時の１時間当たりの平均売上が「４，６００」円で、１．５にした時の１時間当たりの平均売上が「４，９００」円で、１．６にした時の１時間当たりの平均売上が「５，２００」円で、１．７にした時の１時間当たりの平均売上が「４，８００」円で、１．８にした時の１時間当たりの平均売上が「４，７００」円であることを示している。つまり、過去の実績では１０時〜１２時の時間帯については時間帯別払出枚数乗数を１．６にした場合が１時間当たりの売上金額の実績の平均値が最大となっていることを示している。
【００９７】
１０時〜１２時以外の時間帯に関する集計結果の値についての説明は行わないが、図９の時間帯別・乗数別集計データ２５ｅに示す通り売上履歴データ２５ｂの内容を基にした過去の実績では、１２時〜１８時の時間帯は時間帯別払出枚数乗数を１．２にした場合、１８時〜２４時の時間帯は時間帯別払出枚数乗数を１．０にした場合が、時間帯別に１時間当たりの売上金額の実績の平均値が最大となっていることを示している。
【００９８】
貸出パラメータ推奨値２５ｆは、曜日別払出枚数乗数の推奨値と時間帯別払出枚数乗数の推奨値を有する。曜日別払出枚数乗数の推奨値には、各曜日の曜日別払出枚数乗数の推奨値が含まれている。また、時間帯別払出枚数乗数の推奨値には、１０時〜１２時と、１２時〜１８時と、１８時〜２４時とのそれぞれの時間帯に対応する時間帯別払出枚数乗数の推奨値を含んでいる。
【００９９】
図９の貸出パラメータ推奨値２５ｆは、曜日別・乗数別集計データ２５ｄの曜日別に１日当たりの売上金額の平均値が最大となった曜日別払出枚数乗数と、時間帯別・乗数別集計データ２５ｅの時間帯別に１時間当たり売上金額の平均値が最大となった時間帯別払出枚数乗数とを抽出したものである。図９の貸出パラメータ推奨値２５ｆは、曜日別払出枚数乗数の推奨値は、月曜日が「１．５」で、火曜日が「１．５」で、水曜日が「１．４」で木曜日が「１．５」で、金曜日が「１．０」で、土曜日が「１．０」で、日曜日が「１．１」であることを示す。また、図９の貸出パラメータ推奨値２５ｆは、時間帯別払出枚数乗数の推奨値は、１０時〜１２時の時間帯は「１．６」で、１２時〜１８時の時間帯は「１．２」で、１８時〜２４時の時間帯は「１．０」であることを示す。
【０１００】
次に、図２に示したメダル貸出機１０に対するメダル貸出に係るパラメータ設定の処理手順を説明する。図１０は、メダル貸出機１０に対するメダル貸出に係るパラメータ設定の処理手順を示すフローチャートである。
【０１０１】
まず、管理装置２０の売上履歴集計部２６ｃは、売上履歴データ２５ｂを入力情報にして曜日別・乗数別集計データ２５ｄを生成する（ステップＳ１０１）。また、売上履歴集計部２６ｃは、売上履歴データ２５ｂを入力情報にして時間帯別・乗数別集計データ２５ｅを生成する（ステップＳ１０２）。
【０１０２】
次に、推奨値生成部２６ｄは、売上履歴集計部２６ｃが生成した曜日別・乗数別集計データ２５ｄと時間帯別・乗数別集計データ２５ｅから、所定の生成基準に従って貸出パラメータ推奨値２５ｆを生成する（ステップＳ１０３）。
【０１０３】
次に、貸出パラメータ管理部２６ｅは、貸出パラメータ２５ｃを貸出パラメータ推奨値２５ｆで更新し、更新した貸出パラメータ２５ｃに従って貸出メダル数テーブル２５ｇの内容を算出する（ステップＳ１０４）。また、貸出パラメータ管理部２６ｅは、更新前のの貸出パラメータ２５ｃ、貸出パラメータ推奨値２５ｆ及びステップＳ１０４で算出した貸出メダル数テーブル２５ｇの内容を貸出メダル数テーブル設定画面として表示部２１に表示する（ステップＳ１０５）。最初に貸出メダル数テーブル設定画面が表示された時には、貸出パラメータ推奨値２５ｆに従って算出される貸出メダル数テーブル２５ｇの内容が表示される。貸出メダル数テーブル設定画面では、貸出パラメータ２５ｃの設定値の変更を指定することが可能で、貸出パラメータ２５ｃの設定値の変更を指定すると、変更に応じて貸出メダル数テーブル２５ｇに対応する内容も自動更新される。また、貸出メダル数テーブル設定画面では、自動計算によって表示されている貸出メダル数テーブル２５ｇの内容を手入力によって個別に変更することも可能である。
【０１０４】
貸出メダル数テーブル設定画面で貸出パラメータ２５ｃの設定値の変更の操作が行われた場合（ステップＳ１０６；Ｙｅｓ）には、操作内容に従って貸出パラメータ２５ｃの内容を変更して（ステップＳ１０７）、ステップＳ１０４に移行する。貸出メダル数テーブル設定画面で貸出パラメータ２５ｃの設定値の変更の操作が行われなかった場合（ステップＳ１０６；Ｎｏ）には、貸出メダル数テーブル２５ｇの内容の手入力による個別の変更の操作が行われたか否かの判定を行う（ステップＳ１０８）。
【０１０５】
貸出メダル数テーブル２５ｇに含まれる貸出金額、曜日及び時間帯別の投出カップ数及び貸出メダル数の手入力による個別の変更の操作が行われた場合（ステップＳ１０８；Ｙｅｓ）には、操作内容に従って貸出メダル数テーブル２５ｇの内容を変更して（ステップＳ１０９）、ステップＳ１０５に移行する。貸出メダル数テーブル２５ｇの内容の手入力による個別の変更の操作が行われなかった場合（ステップＳ１０８；Ｎｏ）には、貸出メダル数テーブル２５ｇの設定操作の終了を示す「設定実行」ボタンの押下の有無の判定処理（ステップＳ１１０）を行う。
【０１０６】
貸出メダル数テーブル２５ｇの設定操作の終了を示す「設定実行」ボタンの押下がされなかった場合（ステップＳ１１０；Ｎｏ）には、ステップＳ１０６に移行する。また、貸出メダル数テーブル２５ｇの設定操作の終了を示す「設定実行」ボタンの押下がされた場合（ステップＳ１１０；Ｙｅｓ）には、この一連の処理において貸出メダル数テーブル２５ｇの更新の有無を判定し（ステップＳ１１１）、貸出メダル数テーブル２５ｇの更新がなかった場合（ステップＳ１１１；Ｎｏ）には、処理を終了する。また、貸出メダル数テーブル２５ｇの更新があった場合（ステップＳ１１１；Ｙｅｓ）には、更新後の貸出メダル数テーブル２５ｇをメダル貸出機１０に配信して（ステップＳ１１２）、貸出メダル数テーブル２５ｇの設定に係る管理装置２０側の処理を終了する。
【０１０７】
更新された貸出メダル数テーブル２５ｇを受け付けると、メダル貸出機１０の貸出メダル数テーブル受付部１８ｉは、受け付けた内容で貸出メダル数テーブル１７ｂを更新する（ステップＳ２０１）。次に、貸出メダル数テーブル１７ｂの更新が完了すると、メダル貸出機１０の立上処理を実行して（ステップＳ２０２）、貸出メダル数テーブル１７ｂの設定に係るメダル貸出機１０側の処理を終了する。
【０１０８】
次に、図２に示した管理装置２０の貸出メダル数テーブル２５ｇの設定処理時に表示される貸出メダル数テーブル設定画面の画面構成を説明する。図１１は、管理装置２０の貸出メダル数テーブル２５ｇの設定処理時に表示される貸出メダル数テーブル設定画面の画面構成を示す図である。
【０１０９】
図１１に示す貸出メダル数テーブル設定画面は、図１０のステップＳ１０５の処理で表示部２１に表示される画面である。貸出メダル数テーブル設定画面の上半分は、貸出パラメータ２５ｃの設定を行う領域であり、下半分は貸出メダル数テーブル２５ｇの設定を行う領域である。
【０１１０】
貸出メダル数テーブル設定画面の上半分に表示される貸出パラメータ２５ｃの設定を行う領域には、貸出パラメータ２５ｃに設定されている消費税率、消費税徴収の有無、貸出金額別単価設定、曜日別払出枚数乗数及び時間帯別払出枚数乗数の現状設定値と、売上履歴データ２５ｂを集計して過去の貸出パラメータ２５ｃの設定値と売上実績から所定の生成基準に従って生成した貸出パラメータ推奨値２５ｆに含まれる曜日別払出枚数乗数及び時間帯別払出枚数乗数の推奨値とが表示される。また、現状設定値及び推奨値以外の値を指定することも可能で、現状設定値及び推奨値以外に、値の直接指定のできる個別指定値の入力用のフィールドを有する。
【０１１１】
貸出メダル数テーブル設定画面の上半分に表示される貸出パラメータ２５ｃの設定を行う領域では、貸出パラメータ２５ｃに含まれるパラメータ毎に現状設定値、推奨値若しくは個別指定値の指定が可能で、パラメータ毎に現状設定値なのか推奨値なのか個別指定値のいずれかの選択と、個別指定値を選択する場合にはその指定値の入力を行うことによって、貸出パラメータ２５ｃの設定値の指定が可能である。ただし、消費税率、消費税徴収の有無、貸出金額別単価設定には推奨値は存在しない。また、貸出メダル数テーブル設定画面の画面表示直後の初期表示は、図１１に示すように、消費税率、消費税徴収の有無及び貸出金額別単価設定については現状設定値が選択され、曜日別払出枚数乗数及び時間帯別払出枚数乗数は推奨値が選択された状態として表示される。
【０１１２】
貸出パラメータ２５ｃの設定にあたっては、現状設定値、推奨値若しくは個別指定値の組合せで指定することも可能で、入力部２２を使用して現状設定値、推奨値若しくは個別指定値を選択することによって、指定内容に従って貸出パラメータ２５ｃを更新を指定することができる。また、貸出パラメータ２５ｃの各パラメータの入力中に画面中ほどに配置される「現状設定値選択」ボタンを押下すると、曜日別払出枚数乗数及び時間帯別払出枚数乗数のパラメータを一括して現状設定値の選択に変更することが可能である。また、各パラメータの入力中に画面中ほどに配置される「推奨値選択」ボタンを押下すると、曜日別払出枚数乗数及び時間帯別払出枚数乗数のパラメータを一括して推奨値の選択に変更することが可能である。
【０１１３】
図１１の貸出メダル数テーブル設定画面の上半分に表示される貸出パラメータ２５ｃの設定を行う領域の表示例は、消費税率は現状設定値が選択された状態で「５％」で、消費税徴収の有無は現状設定値が選択された状態で消費税を遊技客から徴収しないことを意味する「無」で、貸出金額別単金設定では全ての金額について現状設定値が選択された状態で、５００円でメダル貸出時はメダル貸出単価が「５円」／枚で、１０００円でメダル貸出時はメダル貸出単価が「５円」／枚で、２０００円でメダル貸出時はメダル貸出単価が「４円」／枚で、３０００円でメダル貸出時はメダル貸出単価が「４円」／枚で、５０００円でメダル貸出時はメダル貸出単価が「２．５円」／枚であることを示している。
【０１１４】
また、図１１の貸出メダル数テーブル設定画面の上半分に表示される貸出パラメータ２５ｃの設定を行う領域は、曜日別払出枚数乗数は全ての曜日について推奨値が選択された状態で、月曜日の現状設定値が「１．５」で推奨値が「１．５」で、火曜日の現状設定値が「１．５」で推奨値が「１．５」で、水曜日の現状設定値が「１．５」で推奨値が「１．４」で、木曜日の現状設定値が「１．５」で推奨値が「１．５」で、金曜日の現状設定値が「１．０」で推奨値が「１．０」で、土曜日の現状設定値が「１．０」で推奨値が「１．０」で、日曜日の現状設定値が「１．２」で推奨値が「１．１」であることを示している。
【０１１５】
また、図１１の貸出メダル数テーブル設定画面の上半分に表示される貸出パラメータ２５ｃの設定を行う領域は、時間帯別払出枚数乗数は全ての時間帯について推奨値が選択された状態で、１０時〜１２時の現状設定値が「１．５」で推奨値が「１．６」で、１２時〜１８時の現状設定値が「１．２」で推奨値が「１．２」で、１８時〜２４時の現状設定値が「１．０」で推奨値が「１．０」であることを示している。
【０１１６】
貸出メダル数テーブル設定画面の下半分に表示される貸出メダル数テーブル２５ｇの設定を行う領域には、画面上半分に表示される貸出パラメータ２５ｃの設定内容に準じて算出された貸出メダル数テーブル２５ｇの内容が表示される。この画面の下半分に表示される貸出メダル数テーブル２５ｇの設定を行う領域に表示される内容は、画面上半分に表示される貸出パラメータ２５ｃの設定内容を変更すると、変更に応じて再計算された貸出メダル数テーブル２５ｇの内容に自動更新される。
【０１１７】
また、貸出メダル数テーブル設定画面の下半分に表示される貸出メダル数テーブル２５ｇの曜日ごと、時間帯ごと及び貸出金額に対する投出カップ数及びメダルの貸出数については、入力部２２の操作によって個別に変更を行うことができる。手入力で更新したメダル数については反転表示とする。また、カップ数については、変更前の貸出メダル数テーブル２５ｇから変更のある部分については反転表示とする。
【０１１８】
図１１の貸出メダル数テーブル設定画面の下半分に表示される例では、貸出金額が「３０００円」のメダル数について反転表示となっており、反転表示となっている部分については画面上半分に表示される貸出パラメータ２５ｃの設定内容に準じて算出された値から、手入力によって変更の指示が行われていることを示している。また、月曜日の貸出金額が「１０００円」の「１０時〜１２時」の時間帯は、カップ数を示す「２」が反転表示となっており、現状の貸出メダル数テーブル２５ｇの設定値と差異があることを示している。
【０１１９】
また、貸出メダル数テーブル設定画面の最下部には「キャンセル」ボタン及び「設定実行」ボタンが配置され、「キャンセル」ボタンが押下された場合には貸出パラメータ２５ｃ及び貸出メダル数テーブル２５ｇの更新をキャンセルして終了する。また、「設定実行」ボタンが押下された場合には、貸出メダル数テーブル設定画面に表示されている内容で貸出パラメータ２５ｃ及び貸出メダル数テーブル２５ｇの更新を確定する。
【０１２０】
次に、図２に示したメダル貸出機１０のメダル貸出処理の処理手順を説明する。図１２は、メダル貸出機１０のメダル貸出処理の処理手順を示すフローチャートである。
【０１２１】
まず、メダル貸出金額及び貸出メダル枚数を指定するボタンの押下の検知処理を行い（ステップＳ３０１）、メダル貸出に係るボタンの押下が検知されない場合（ステップＳ３０１；Ｎｏ）には、処理を終了する。メダル貸出に係るボタンの押下が検知された場合（ステップＳ３０１；Ｙｅｓ）には、メダル貸出制御部１８ｃは、押下されたボタンを判別してメダル貸出データ１７ｄの値の設定を行う（ステップＳ３０２）。具体的には、押下されたボタンを判別して、メダル貸出データ１７ｄのメダル貸出指定金額及びメダル貸出指定枚数を設定し、プレミアム付与メダル枚数にはゼロを設定する。
【０１２２】
次に、会員による指紋の読込が行われて会員個別データ１７ｃを取得済みか否かの判定を行い（ステップＳ３０３）、まだ会員個別データ１７ｃを取得していない場合（ステップＳ３０３；Ｎｏ）には、ステップＳ３１２に移行する。指紋の読込が行われて管理装置２０から会員個別データ１７ｃを取得済の場合（ステップＳ３０３；Ｙｅｓ）には、会員個別データ１７ｃの最終利用日を参照して、前回利用日が本日を除く１週間以内かどうかの判定を行う（ステップＳ３０４）。前回利用日が本日を除く１週間以内ではない場合（ステップＳ３０４；Ｎｏ）には、ステップＳ３０６に移行する。前回利用日が本日を除く１週間以内の場合（ステップＳ３０４；Ｙｅｓ）には、プレミアム付与決定部１８ｊは、メダル貸出データ１７ｄのプレミアム付与メダル枚数に、１週間以内のリピート客に付与される所定のメダル枚数を加算する（ステップＳ３０５）。
【０１２３】
次に、会員データ管理部１８ｇは、会員個別データ１７ｃの最終利用日を本日日付に更新するとともに、会員個別データ１７ｃの会員ＩＤに対応する管理装置２０の会員データ２５ａの最終利用日を本日日付に更新する（ステップＳ３０６）。
【０１２４】
次に、会員個別データ１７ｃのポイント数の値がゼロの場合（ステップＳ３０７；Ｎｏ）には、ステップＳ３１２に移行する。また、会員個別データ１７ｃのポイント数の値がゼロではない場合（ステップＳ３０７；Ｙｅｓ）には、表示操作部１３に貯まっているポイントと、そのポイントと交換でメダルの貸出を受けるか否かの確認のメッセージを表示する（ステップＳ３０８）。遊技客がポイントによるメダルの貸出を行わないと指定した場合（ステップＳ３０９；Ｎｏ）には、ステップＳ３１２に移行する。遊技客がポイントによるメダルの貸出を行うと指定した場合（ステップＳ３０９；Ｙｅｓ）には、プレミアム付与決定部１８ｊは、使用するポイント数を、会員個別データ１７ｃのポイント数と、管理装置２０の会員データ２５ａに記憶されている当該会員のポイント数から減算する（ステップＳ３１０）。また、プレミアム付与決定部１８ｊは、使用するポイント数に対応するメダル枚数を、メダル貸出データ１７ｄのプレミアム付与メダル枚数に加算する（ステップＳ３１１）。
【０１２５】
次に、メダル貸出制御部１８ｃは、メダル貸出データ１７ｄの残投出枚数を設定する（ステップＳ３１２）。具体的には、メダル貸出データ１７ｄのメダル貸出指定枚数とプレミアム付与メダル枚数とを合算したものを、メダル貸出データ１７ｄの残投出枚数に設定する。
【０１２６】
次に、メダル貸出制御部１８ｃは、画面制御部１８ａを利用して表示操作部１３に表示される画面を、メダル貸出処理中の画面に変更し（ステップＳ３１３）、カップ投出制御部１８ｄ及びメダル投出制御部１８ｅを使用してメダルの投出処理を実施して（ステップＳ３１４）、処理を終了する。メダルの投出処理の詳細な処理手順は後述する。
【０１２７】
次に、図１２に示したメダル貸出機１０のメダル投出処理の詳細な処理手順を説明する。図１３は、メダル貸出機１０のメダル投出処理の詳細な処理手順を示すフローチャートである。ただし、図１３に示す処理手順は、メダル貸出数がメダル貸出処理時に使用されるカップの投出上限値を超えない場合のフローであり、カップの投出上限値を超える場合には図１３に示す処理手順を複数回繰り返すことによって実現する。
【０１２８】
メダル貸出データ１７ｄの残投出枚数が所定数、例えば３以下の場合（ステップＳ４０１；Ｙｅｓ）には、メダル投出制御部１８ｅは、ホッパＡ１５ａ及びホッパＢ１５ｂに対して、投出予定数を分割して具体的な投出数を指定して投出の要求を行って（ステップＳ４０９）、ステップＳ４１０に移行する。
【０１２９】
メダル貸出データ１７ｄの残投出枚数が所定数を超えている場合（ステップＳ４０１；Ｎｏ）には、メダル投出制御部１８ｅは、ホッパＡ１５ａ及びホッパＢ１５ｂに対して、メダルの投出処理を開始し停止をかけるまでメダルの投出処理を継続するよう指示する（ステップＳ４０２）。次に、ホッパＡ１５ａからのメダル１枚の投出通知を受け付けたならば（ステップＳ４０３；Ｙｅｓ）、ステップＳ４０５に移行する。また、ホッパＢ１５ｂからのメダル１枚の投出通知を受け付けたならば（ステップＳ４０３；Ｎｏ、ステップＳ４０４；Ｙｅｓ）、ステップＳ４０５に移行する。ホッパＡ１５ａからもホッパＢ１５ｂからもメダル１枚の投出通知を受け付けていない場合（ステップＳ４０３；Ｎｏ、ステップＳ４０４；Ｎｏ）には、ステップＳ４０３に戻り、ホッパＡ１５ａもしくはホッパＢ１５ｂからのメダル１枚の投出通知の待ち合わせを行う。
【０１３０】
ステップＳ４０５においてメダル投出制御部１８ｅは、メダル貸出データ１７ｄの残投出枚数から１を減算する（ステップＳ４０５）。また、メダル投出制御部１８ｅは、画面制御部１８ａを使用してメダル貸出処理中画面の残メダル枚数をメダル貸出データ１７ｄの残投出枚数の値に更新する（ステップＳ４０６）。
【０１３１】
次に、メダル貸出データ１７ｄの残投出枚数が所定数、例えば３ではない場合（ステップＳ４０７；Ｎｏ）には、ステップＳ４０３に戻る。メダル貸出データ１７ｄの残投出枚数が所定数の場合（ステップＳ４０７；Ｙｅｓ）には、メダル投出制御部１８ｅは、最後に投出の通知を受けたホッパに対して２枚、もう一方のホッパに対して１枚の投出割り当てを行う（ステップＳ４０８）。
【０１３２】
次に、ホッパＡ１５ａからのメダル１枚の投出通知を受け付けたならば（ステップＳ４１０；Ｙｅｓ）、ステップＳ４１２に移行する。また、ホッパＢ１５ｂからのメダル１枚の投出通知を受け付けたならば（ステップＳ４１０；Ｎｏ、ステップＳ４１１；Ｙｅｓ）、ステップＳ４１２に移行する。ホッパＡ１５ａからもホッパＢ１５ｂからもメダル１枚の投出通知を受け付けていない場合（ステップＳ４１０；Ｎｏ、ステップＳ４１１；Ｎｏ）には、ステップＳ４１０に戻り、ホッパＡ１５ａもしくはホッパＢ１５ｂからのメダル１枚の投出通知の待ち合わせを行う。
【０１３３】
ステップＳ４１２においてメダル投出制御部１８ｅは、メダル貸出データ１７ｄの残投出枚数から１を減算する（ステップＳ４１２）。またメダル投出制御部１８ｅは、画面制御部１８ａを使用してメダル貸出処理中画面の残メダル枚数をメダル貸出データ１７ｄの残投出枚数の値に更新する（ステップＳ４１３）。
【０１３４】
次に、メダル貸出データ１７ｄの残投出枚数がゼロではない場合（ステップＳ４１４；Ｎｏ）には、ステップＳ４１０に戻る。メダル貸出データ１７ｄの残投出枚数がゼロの場合（ステップＳ４１４；Ｙｅｓ）には、処理を終了する。ここで、ホッパＡ１５ａおよびホッパＢ１５ｂに投出枚数を具体的に分割する所定数として３を用いているが、この所定数は、（各ホッパが投出駆動中に停止指令を受けた場合に駆動を停止するまでに投出する可能性がある枚数）×（ホッパの数）を基準として、この値より数枚大きく設定することが好ましい。この場合、ホッパの投出駆動中に投出口の前に位置するメダル（１枚）は、駆動停止信号を送信しても投出されてしまう可能性があるため、各ホッパについて１枚、計２枚以上の枚数として３枚が設定されている。この所定値は、ホッパの数および性能に応じて設定することができる。本実施例のメダル貸機のホッパにおいては、複数のホッパを設け、残り枚数が所定値になるまでは、いずれものホッパが駆動を続けるため、投出の途上でいずれかのホッパに投出障害が生じたとしても、残りのホッパにて残枚数を投出し続けることができる。この事により、メダルの投出を迅速に行うことができる。本実施例ではホッパは２つであるが、３つ以上のホッパを設けても良い。また、複数カップを投出する場合は、最終カップ以外は正確にメダル数を分配する必要がないため、最終カップ以外の払出制御においては、投出予定数の全枚数をカウントするまで投出数の分配は行わず双方のホッパにて投出を行い、最終カップについてのみ、所定値以下となったときの分配制御を行っても良い。
【０１３５】
上述してきたように、本実施例では、メダル貸出操作による売上の履歴を記録し、蓄積された売上履歴の情報から曜日別及び時間帯別の過去の実績の集計を行い、この集計結果に基づいて曜日別及び時間帯別の遊技媒体の貸出金額と貸出金額毎の遊技媒体の貸出数を規定する貸出パラメータ２５ｃの推奨値を生成する。また、この貸出パラメータ推奨値２５ｆを活用することによって効率的に貸出パラメータ２５ｃを決定する手段を提供し、決定した貸出パラメータ２５ｃでメダル貸出機１０が有している貸出メダル数テーブル１７ｂの更新を自動的に行う。また、メダル貸出機１０は、貸出メダル数テーブル１７ｂに従って、曜日毎及び時間帯毎に設定された条件で貸出処理を行うよう構成したので、アミューズメント施設のゲームコーナーやゲームセンターの従業員に作業負荷を抑制しつつ、売上高の向上に効果のある対策を実施することができる。
【０１３６】
なお、上述の本実施例では、会員情報の管理、売上履歴の蓄積、売上履歴に基づく貸出パラメータ推奨値２５ｆの作成及び貸出パラメータ推奨値２５ｆを基にした貸出メダル数テーブル２５ｇは管理装置２０で設定されメダル貸出機１０に配信されることを説明してきたが、本発明はこれに限定されるものではなく、会員情報の管理、売上履歴の蓄積、売上履歴に基づく貸出メダル数テーブル１７ｂの設定の全部もしくはその一部をメダル貸出機１０で実施しても良い。
【０１３７】
また、上述の本実施例では、管理装置２０で貸出パラメータ２５ｃの設定を行い、該貸出パラメータ２５ｃを基にして貸出メダル数テーブル２５ｇを算出し、算出した貸出メダル数テーブル２５ｇに対しての手入力で修正した結果をメダル貸出機１０に配信して、メダル貸出機１０は配信された貸出メダル数テーブル２５ｇを貸出メダル数テーブル１７ｂに記憶して、記憶した貸出メダル数テーブル１７ｂの内容に準じてメダルの貸出処理をおこなうことを説明してきた。しかしながら、本発明はこれに限定されるものではなく、管理装置２０での手入力による貸出メダル数テーブル２５ｇの修正を行わない場合には、管理装置２０からメダル貸出機１０に貸出パラメータ２５ｃを配信して、メダル貸出機１０が動作時に貸出パラメータ２５ｃから貸出金額、曜日及び時間帯に応じた払出数を都度算出するようにしてもよい。
【０１３８】
また、上述の本実施例では、会員の情報を会員の指紋の特徴データに関連付けて管理することを説明してきたが、本発明はこれに限定されるものではない。例えば、指静脈や眼の虹彩などの他の生体情報や、識別可能な情報を有するカードなどに関連づけて会員の情報を管理して、メダル貸出機に他の生体情報の読取部若しくはカードの識別情報の読取部を設けて、会員の他の生体情報やカードの識別情報を読み取ることによって会員の認証を行うものとしてもよい。
【０１３９】
また、上述の本実施例では、貸出パラメータ２５ｃについて曜日別払出枚数乗数と時間帯別払出枚数乗数を独立に有しており、特定の曜日の特定の時間帯の乗数を決定する場合には曜日別払出枚数乗数と時間帯別払出枚数乗数の中間値を採用するとの説明をしてきたが、本発明はこれに限定されるものではなく、曜日と時間帯の組合せに対する乗数を持たせるものとしても良い。また、貸出パラメータ２５ｃでは、払出枚数乗数を曜日と時間帯に対しての設定のみで説明を行ってきたが、遊技客の年齢や性別などの他の条件に対しての乗率をパラメータとして設定ができても良い。
【０１４０】
また、上述の本実施例では、貸出メダル数テーブル２５ｇの設定を管理装置２０にて設定する例を示したが、本発明はこれに限定されるものではなく、貸出メダル数テーブル２５ｇをメダル貸出機１０の表示操作部１３で設定するようにしてもよい。また、管理装置２０とメダル貸出機１０の双方にて設定ができるようにしてもよい。この場合、メダル貸出機１０が管理装置２０と通信が可能な状態にあるときは管理装置２０にて設定を可能にし、メダル貸出機１０が管理装置２０と通信が不可能な状態にあるときはメダル貸出機１０にて設定ができるようにすることも考えられる。また、メダル貸出機１０が管理装置２０以外の他の機器（例えば両替機等）と通信可能に接続されている場合は、当該他の機器にて貸出メダル数テーブル２０を設定し、メダル貸出機１０に配信するようにしてもよい。
【０１４１】
また、上述の本実施例では、メダル貸出機１０を、両替機能および貯メダル機能を有するものとして記述したが、本発明はこれに限定されるものではなく、両替機能および貯メダル機能をそれぞれ別装置、つまり両替機および貯メダル機として構成してもよい。
【０１４２】
また、上述の本実施例では、メダルを遊技媒体とするケースの実施例を説明してきたが、本発明はこれに限定されるものではなく、メダル以外のコイン及び玉等の別の遊技媒体の貸出装置に対して本発明内容を適用しても良い。
【０１４３】
また、上述の本実施例では、画面構成を含めた実施例を説明してきたが、画面構成は一例であり本発明はこれに限定されるものではなく、画面の種類及び各画面の構成を本実施例の中で説明した画面と違う構成としても良い。
【０１４４】
また、上述の本実施例で図示した各構成は機能概略的なものであり、必ずしも物理的に図示の構成であることを要しない。すなわち、制御部内の各処理部、記憶部内の各データ及びその他の機能部の分散・統合の形態は図示のものに限られず、その全部又は一部を、任意の単位で機能的又は物理的に分散・統合して構成することができる。
【産業上の利用可能性】
【０１４５】
以上のように、本発明に係る遊技媒体貸出システム及び遊技媒体貸出方法は、アミューズメント施設のゲームコーナーやゲームセンターの従業員の作業負荷を抑制しつつ、売上高の向上に効果のある対策を実施することに適している。
【符号の説明】
【０１４６】
１０  メダル貸出機
１１  硬貨処理部
１１ａ  硬貨投入口
１１ｂ  硬貨投出口
１２  紙幣処理部
１２ａ  紙幣投入排出口
１３  表示操作部
１４  メダル取出口
１４ａ  カップ投出部
１５  メダル投出部
１５ａ  ホッパＡ
１５ｂ  ホッパＢ
１６  指紋読取部
１７、２５  記憶部
１７ａ  硬貨紙幣預かりデータ
１７ｂ、２５ｇ  貸出メダル数テーブル
１７ｃ  会員個別データ
１７ｄ  メダル貸出データ
１７ｅ  年齢推定値
１８、２６  制御部
１８ａ  画面制御部
１８ｂ  硬貨紙幣預かり部
１８ｃ  メダル貸出制御部
１８ｄ  カップ投出制御部
１８ｅ  メダル投出制御部
１８ｆ  両替釣銭処理部
１８ｇ  会員データ管理部
１８ｈ  売上情報送信部
１８ｉ  貸出メダル数テーブル受付部
１８ｊ  プレミアム付与決定部
１８ｋ  顔認識処理部
１９  カメラ
２０  管理装置
２１  表示部
２２  入力部
２４  通信部
２５ａ  会員データ
２５ｂ  売上履歴データ
２５ｃ  貸出パラメータ
２５ｄ  曜日別・乗数別集計データ
２５ｅ  時間帯別・乗数別集計データ
２５ｆ  貸出パラメータ推奨値
２６ａ  会員情報管理部
２６ｂ  売上履歴記録部
２６ｃ  売上履歴集計部
２６ｄ  推奨値生成部
２６ｅ  貸出パラメータ管理部
３０  通信回線
【図１】
2015029797.tif 000003
【図２】
2015029797.tif 000004
【図３】
2015029797.tif 000005
【図４】
2015029797.tif 000006
【図５】
2015029797.tif 000007
【図６】
2015029797.tif 000008
【図７】
2015029797.tif 000009
【図８】
2015029797.tif 000010
【図９】
2015029797.tif 000011
【図１０】
2015029797.tif 000012
【図１１】
2015029797.tif 000013
【図１２】
2015029797.tif 000014
【図１３】
2015029797.tif 000015